(57)【要約】【課題】アプリケーションの変更内容を特定の端末で事前に確認できるとともに、再配布の必要なく確認後の変更内容を端末のアプリケーションに反映するアプリケーション管理プログラム、情報処理装置及びアプリケーション管理システムを提供する。【解決手段】アプリケーション管理サーバ１は、テスト用アプリケーション情報１１３ｔｉ及び本番用アプリケーション情報１１３ｐｉを記憶する記憶部１１と、テスト用アプリケーション情報１１３ｔｉを編集するアプリケーション編集手段１００と、本番用アプリケーション情報１１３ｐｉに、テスト用アプリケーション情報１１３ｔｉを反映する本番反映手段１０３と、テスト用アプリケーション情報１１３ｔｉをテスト端末３に配信し、本番用アプリケーション情報１１３ｐｉを端末４ａ、４ｂ、４ｃ…に配信する情報配信手段１０４とを有する。【選択図】図２
2020194518.tif 000002
【特許請求の範囲】
【請求項１】
コンピュータを、
記憶手段上に記憶された、複数の機能を有するアプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報と、を編集する編集手段と、
前記第１の構造情報及び前記第１のコンテンツ情報を前記アプリケーションが動作する第１の端末に配信し、前記第２の構造情報及び前記第２のコンテンツ情報を前記アプリケーションが動作する第２の端末に配信する配信手段として動作させるためのアプリケーション管理プログラム。
【請求項２】
前記コンピュータを、
外部から反映要求を受信すると、前記第２の構造情報及び前記第２のコンテンツ情報に、前記編集手段が編集した前記第１の構造情報及び前記第１のコンテンツ情報を反映する反映手段としてさらに機能させる請求項１に記載のアプリケーション管理プログラム。
【請求項３】
前記コンピュータを、
前記アプリケーションを実行する前記第１の端末又は前記第２の端末から外部サーバのサービス利用要求を受け付けると、当該外部サーバと通信し、当該外部サーバのサービスから提供される情報を前記第１の端末又は前記第２の端末に送信する外部通信手段としてさらに動作させるための請求項１又は２に記載のアプリケーション管理プログラム。
【請求項４】
記憶手段上に記憶された、複数の機能を有するアプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報と、を編集する編集手段と、
前記第１の構造情報及び前記第１のコンテンツ情報を前記アプリケーションが動作する第１の端末に配信し、前記第２の構造情報及び前記第２のコンテンツ情報を前記アプリケーションが動作する第２の端末に配信する配信手段を有する情報処理装置。
【請求項５】
外部から反映要求を受信すると、前記第２の構造情報及び前記第２のコンテンツ情報に、前記編集手段が編集した前記第１の構造情報及び前記第１のコンテンツ情報を反映する反映手段をさらに有する請求項４に記載の情報処理装置。
【請求項６】
前記アプリケーションを実行する前記第１の端末又は前記第２の端末から外部サーバのサービス利用要求を受け付けると、当該外部サーバと通信し、当該外部サーバのサービスから提供される情報を前記第１の端末又は前記第２の端末に送信する外部通信手段をさらに有する請求項４又は５に記載の情報処理装置。
【請求項７】
複数の機能を有するアプリケーションを実行する第１の端末と、
前記アプリケーションを実行する第２の端末と、
記憶手段上に記憶された、前記アプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報と、を編集する編集手段と、前記第１の構造情報及び前記第１のコンテンツ情報を前記第１の端末に配信し、前記第２の構造情報及び前記第２のコンテンツ情報を前記第２の端末に配信する配信手段を有する情報処理装置とを備えたアプリケーション管理システム。
【請求項８】
前記情報処理装置は、外部から反映要求を受信すると、前記第２の構造情報及び前記第２のコンテンツ情報に、前記編集手段が編集した前記第１の構造情報及び前記第１のコンテンツ情報を反映する反映手段をさらに有する請求項７に記載のアプリケーション管理システム。
【請求項９】
前記アプリケーションのサービス利用要求に対してサービスを提供する外部サーバをさらに備え、
前記情報処理装置は、前記アプリケーションを実行する前記第１の端末又は前記第２の端末からサービス利用要求を受け付けると、前記外部サーバと通信し、当該外部サーバのサービスから提供される情報を前記第１の端末又は前記第２の端末に送信する外部通信手段をさらに有する請求項７又は８に記載のアプリケーション管理システム。
【発明の詳細な説明】
【技術分野】
【０００１】
本発明は、アプリケーション管理プログラム、情報処理装置及びアプリケーション管理システムに関する。
【背景技術】
【０００２】
従来の技術として、アプリケーションのレイアウトを変更する際に、アプリケーションを実行する端末におけるレイアウトを利用者に確認させる情報処理装置が提案されている（例えば、特許文献１参照）。
【０００３】
特許文献１に開示された情報処理装置は、アプリケーションの実行画面に表示させるパーツの表示態様を示すパーツ情報の入力を受け付けて、受け付けたパーツ情報に基づいて生成される実行画面に関する情報であるプレビュー情報を、それぞれ異なるオペレーティング・システムが動作する複数のプレビュー端末に送信し、複数のプレビュー端末でプレビュー情報を実行することでアプリケーションのレイアウトを確認させる。
【先行技術文献】
【特許文献】
【０００４】
【特許文献１】特開２０１７‐１０２８７２号公報
【発明の概要】
【発明が解決しようとする課題】
【０００５】
しかし、上記特許文献１に記載の情報処理装置は、プレビュー用端末にプレビュー情報を送信するものの、送信している情報は、あくまでレイアウトのプレビューを表示するための情報であり、プレビュー用端末のアプリケーションに対してレイアウト変更を即座に反映するものではない。つまり、上記特許文献１に記載の情報処理装置は、プレビュー用端末の利用者がレイアウトを確認した後、プレビュー用端末からダウンロード要求があるとアプリケーションをプレビュー用端末に送信してアプリケーションを更新するものであり、アプリケーションを更新するためにはアプリケーションのダウンロードが必要であって、アプリケーションの再配布を伴わずにレイアウトの変更内容をプレビュー用端末のアプリケーションに対して反映できない、という問題がある。
【０００６】
本発明の目的は、アプリケーションの変更内容を特定の端末で事前に確認できるとともに、再配布の必要なく確認後の変更内容を端末のアプリケーションに反映するアプリケーション管理プログラム、情報処理装置及びアプリケーション管理システムを提供することにある。
【課題を解決するための手段】
【０００７】
本発明の一態様は、上記目的を達成するため、以下のアプリケーション管理プログラム、情報処理装置及びアプリケーション管理システムを提供する。
【０００８】
［１］コンピュータを、
記憶手段上に記憶された、複数の機能を有するアプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報と、を編集する編集手段と、
前記第１の構造情報及び前記第１のコンテンツ情報を前記アプリケーションが動作する第１の端末に配信し、前記第２の構造情報及び前記第２のコンテンツ情報を前記アプリケーションが動作する第２の端末に配信する配信手段として動作させるためのアプリケーション管理プログラム。
［２］前記コンピュータを、
外部から反映要求を受信すると、前記第２の構造情報及び前記第２のコンテンツ情報に、前記編集手段が編集した前記第１の構造情報及び前記第１のコンテンツ情報を反映する反映手段としてさらに機能させる前記［１］に記載のアプリケーション管理プログラム。
［３］前記コンピュータを、
前記アプリケーションを実行する前記第１の端末又は前記第２の端末から外部サーバのサービス利用要求を受け付けると、当該外部サーバと通信し、当該外部サーバのサービスから提供される情報を前記第１の端末又は前記第２の端末に送信する外部通信手段としてさらに動作させるための前記［１］又は［２］に記載のアプリケーション管理プログラム。
［４］記憶手段上に記憶された、複数の機能を有するアプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報と、を編集する編集手段と、
前記第１の構造情報及び前記第１のコンテンツ情報を前記アプリケーションが動作する第１の端末に配信し、前記第２の構造情報及び前記第２のコンテンツ情報を前記アプリケーションが動作する第２の端末に配信する配信手段を有する情報処理装置。
［５］外部から反映要求を受信すると、前記第２の構造情報及び前記第２のコンテンツ情報に、前記編集手段が編集した前記第１の構造情報及び前記第１のコンテンツ情報を反映する反映手段をさらに有する前記［４］に記載の情報処理装置。
［６］前記アプリケーションを実行する前記第１の端末又は前記第２の端末から外部サーバのサービス利用要求を受け付けると、当該外部サーバと通信し、当該外部サーバのサービスから提供される情報を前記第１の端末又は前記第２の端末に送信する外部通信手段をさらに有する前記［４］又は［５］に記載の情報処理装置。
［７］複数の機能を有するアプリケーションを実行する第１の端末と、
前記アプリケーションを実行する第２の端末と、
記憶手段上に記憶された、前記アプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報と、を編集する編集手段と、前記第１の構造情報及び前記第１のコンテンツ情報を前記第１の端末に配信し、前記第２の構造情報及び前記第２のコンテンツ情報を前記第２の端末に配信する配信手段を有する情報処理装置とを備えたアプリケーション管理システム。
［８］前記情報処理装置は、外部から反映要求を受信すると、前記第２の構造情報及び前記第２のコンテンツ情報に、前記編集手段が編集した前記第１の構造情報及び前記第１のコンテンツ情報を反映する反映手段をさらに有する前記［７］に記載のアプリケーション管理システム。
［９］前記アプリケーションのサービス利用要求に対してサービスを提供する外部サーバをさらに備え、
前記情報処理装置は、前記アプリケーションを実行する前記第１の端末又は前記第２の端末からサービス利用要求を受け付けると、前記外部サーバと通信し、当該外部サーバのサービスから提供される情報を前記第１の端末又は前記第２の端末に送信する外部通信手段をさらに有する前記［７］又は［８］に記載のアプリケーション管理システム。
【発明の効果】
【０００９】
請求項１、４、７に係る発明によれば、アプリケーションの変更内容を特定の端末で事前に確認できるとともに、変更前の状態のまま端末のアプリケーションを動作させることができる。
請求項２、５、８に係る発明によれば、再配布の必要なく確認後の変更内容を端末のアプリケーションに反映することができる。
請求項３、６、９に係る発明によれば、外部サーバと通信し、当該外部サーバのサービスから提供される情報を第１の端末又は第２の端末に送信することができる。
【図面の簡単な説明】
【００１０】
【図１】図１は、実施の形態に係るアプリケーション管理システムの構成の一例を示す概略図である。
【図２】図２は、実施の形態に係るアプリケーション管理サーバの構成例を示すブロック図である。
【図３】図３は、配信先情報の構成の一例を示す概略図である。
【図４】図４は、テスト用アプリケーション情報及び本番用アプリケーション情報の構成の一例を示す概略図である。
【図５】図５は、実施の形態に係るテスト端末の構成例を示すブロック図である。
【図６】図６は、実施の形態に係る端末の構成例を示すブロック図である。
【図７】図７は、テスト端末３においてアプリケーション実行手段により表示部に表示される表示画面の一例を示す概略図である。
【図８Ａ】図８Ａは、編集動作を説明するための概略図である。
【図８Ｂ】図８Ｂは、編集動作を説明するための概略図である。
【図８Ｃ】図８Ｃは、編集動作を説明するための概略図である。
【図９】図９は、アプリケーション管理システムの編集動作例を示すフローチャートである。
【図１０】図１０は、テスト端末で動作するアプリケーションの動作例を示すフローチャートである。
【発明を実施するための形態】
【００１１】
［実施の形態］
（アプリケーション管理システムの構成）
図１は、実施の形態に係るアプリケーション管理システムの構成の一例を示す概略図である。
【００１２】
このアプリケーション管理システム９は、情報処理装置としてのアプリケーション管理サーバ１と、編集端末２と、第１の端末としてのテスト端末３と、第２の端末としての端末４ａ、４ｂ、４ｃ…とをネットワーク５によって互いに通信可能に接続することで構成される。また、アプリケーション管理システム９を拡張する構成として外部サーバ６が接続される。編集端末２及びテスト端末３は、テスト端末３及び端末４ａ、４ｂ、４ｃ…で動作するアプリケーションを管理する管理者７によって操作され、端末４ａ、４ｂ、４ｃ…は、端末４ａ、４ｂ、４ｃ…で動作するアプリケーションを利用する利用者８ａ、８ｂ、８ｃ…によってそれぞれ操作される。
【００１３】
アプリケーション管理サーバ１は、サーバ型の情報処理装置であり、編集端末２、テスト端末３及び端末４ａ、４ｂ、４ｃ…の要求に応じて動作するものであって、本体内に情報を処理するための機能を有するＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｋ  Ｄｒｉｖｅ）やフラッシュメモリ等の電子部品を備える。また、アプリケーション管理サーバ１は、記憶部１１Ａ及び１１Ｂを有するが、必ずしも物理的に２つの記憶部が存在する必要はなく、２つの記憶領域が存在すればよい。記憶部１１Ａ及び１１Ｂにはそれぞれアプリケーションの内容を定義する情報を格納する。アプリケーションの内容を定義する情報は、アプリケーションの機能及び表示等を指定する構造情報と、アプリケーション上で使用されるコンテンツ情報とを有する。これらの情報の詳細については後述する。
【００１４】
編集端末２は、ＰＣ（Ｐｅｒｓｏｎａｌ  Ｃｏｍｐｕｔｅｒ）やスマートフォン、タブレット端末等の情報処理装置であって、本体内に情報を処理するための機能を有するＣＰＵやフラッシュメモリ等の電子部品を備える。編集端末２は、主にアプリケーションの内容を編集するために用いられる。
【００１５】
テスト端末３及び端末４ａ、４ｂ、４ｃ…は、スマートフォン、タブレット端末、ＰＣ等の情報処理装置であって、本体内に情報を処理するための機能を有するＣＰＵやフラッシュメモリ等の電子部品を備える。テスト端末３及び端末４ａ、４ｂ、４ｃ…は、アプリケーションがインストールされているものとし、当該アプリケーションは予め複数の機能を実行可能なものとする。当該アプリケーションが実行する機能は、アプリケーション管理サーバ１から配信されるアプリケーションの内容を定義する情報に含まれる構造情報に基づいて、使用する機能と使用しない機能が指定され、レイアウトや配色、機能の配置等を含む表示上の構造（以降、「表示構造」という場合がある。）が指定される。また、アプリケーションの内容を定義する情報に含まれるテキスト、画像、動画、音声等のコンテンツ情報が表示構造上で使用される。
【００１６】
ネットワーク５は、高速通信が可能な通信ネットワークであり、例えば、イントラネットやＬＡＮ（Ｌｏｃａｌ  Ａｒｅａ  Ｎｅｔｗｏｒｋ）等の有線又は無線の通信網である。
【００１７】
外部サーバ６は、アプリケーション内部で提供されない外部のサービスを提供するためのサーバ型の情報処理装置であり、アプリケーション管理サーバ１の要求に応じて動作するものであって、本体内に情報を処理するための機能を有するＣＰＵやＨＤＤやフラッシュメモリ等の電子部品を備える。外部サーバ６は、外部サービスとして、例えば、会員を識別するためのＩＤ、当該ＩＤに対するパスワード等を含む会員情報、当該会員情報に対して付与されたポイント等を管理する。
【００１８】
アプリケーション管理サーバ１は、一例として、管理者７の操作内容に基づいて編集端末２から送信される要求に応じて動作し、テスト端末３又は端末４ａ、４ｂ、４ｃ…上で動作するアプリケーションの内容を編集するが、テスト端末３又は端末４ａ、４ｂ、４ｃ…上に配布するアプリケーションそのものを編集せずに、記憶部１１Ａ及び１１Ｂに格納されるアプリケーションの内容を定義する情報を編集する。なお、テスト用のアプリケーションの内容を定義する情報は記憶部１１Ａに格納され、本番用のアプリケーションの内容を定義する情報は記憶部１１Ｂに格納される。テスト用のアプリケーションの内容を定義する情報はテスト端末３に配信され、本番用のアプリケーションの内容を定義する情報は端末４ａ、４ｂ、４ｃ…に配信される。
【００１９】
アプリケーション管理サーバ１は、まず、アプリケーションの内容を編集する場合、記憶部１１Ａに格納されるテスト用のアプリケーションの内容を定義する情報を編集する。次に、テスト端末３の要求に応じて記憶部１１Ａのテスト用のアプリケーションの内容を定義する情報をテスト端末３に配信して、テスト端末３上で動作するアプリケーションに編集内容を反映し、管理者７にテスト用の反映結果を確認させる。なお、この時点では、アプリケーション管理サーバ１は、編集内容を記憶部１１Ｂに格納される本番用のアプリケーションの内容を定義する情報には反映しない。従って、端末４ａ、４ｂ、４ｃ…で動作するアプリケーションの内容は編集前の内容である。
【００２０】
次に、管理者７が編集したアプリケーションの内容を確認し、編集内容を確定する場合、端末４ａ、４ｂ、４ｃ…上で動作する本番用のアプリケーションにも同様の編集内容を反映するために編集端末２を操作すると、アプリケーション管理サーバ１は、記憶部１１Ａのテスト用のアプリケーションの内容を定義する情報を、記憶部１１Bに格納された本番用のアプリケーションの内容を定義する情報にコピーする等して、テスト用のアプリケーションの内容を定義する情報を本番用のアプリケーションの内容を定義する情報に反映する。次に、端末４ａ、４ｂ、４ｃ…の要求に応じて記憶部１１Ｂの本番用のアプリケーションの内容を定義する情報を端末４ａ、４ｂ、４ｃ…に配信して、端末４ａ、４ｂ、４ｃ…上で動作するアプリケーションに編集内容を反映することで、アプリケーションを再配布することなくアプリケーションの内容を更新する。
【００２１】
（情報処理装置の構成）
図２は、実施の形態に係るアプリケーション管理サーバ１の構成例を示すブロック図である。
【００２２】
アプリケーション管理サーバ１は、ＣＰＵ等から構成され、各部を制御するとともに、各種のプログラムを実行する制御部１０と、フラッシュメモリ等の記憶媒体から構成され情報を記憶する記憶部１１、１１Ａ及び１１Ｂと、ネットワークを介して外部と通信する通信部１２とを備える。
【００２３】
制御部１０は、後述するアプリケーション管理プログラム１１０を実行することで、アプリケーション編集手段１００、配信先判別手段１０１、情報配信手段１０２、本番反映手段１０３及び外部通信手段１０４等として機能する。
【００２４】
アプリケーション編集手段１００は、編集端末２の要求に応じてテスト用のアプリケーションの内容を定義する情報であるテスト用アプリケーション情報１１３ｔ１、１１３ｔ２…を編集する。テスト用アプリケーション情報１１３ｔ１、１１３ｔ２…の構成の詳細については後述する。
【００２５】
配信先判別手段１０１は、テスト端末３又は端末４ａ、４ｂ、４ｃ…の要求を受け付けると、配信先情報１１１に基づいてテスト用アプリケーション情報１１３ｔ１、１１３ｔ２…又は本番用のアプリケーションの内容を定義する情報である本番用アプリケーション情報１１３ｐ１、１１３ｐ２…の配信先を判別する。
【００２６】
情報配信手段１０２は、配信先判別手段１０１の判別結果に基づいてテスト端末３又は端末４ａ、４ｂ、４ｃ…にテスト用アプリケーション情報１１３ｔ１、１１３ｔ２…又は本番用アプリケーション情報１１３ｐ１、１１３ｐ２…を配信する。
【００２７】
本番反映手段１０３は、編集端末２の反映要求に応じて、テスト用アプリケーション情報１１３ｔ１、１１３ｔ２…の内容を、本番用アプリケーション情報１１３ｐ１、１１３ｐ２…に反映する。
【００２８】
外部通信手段１０４は、テスト端末３又は端末４ａ、４ｂ、４ｃ…上で動作するアプリケーションから外部サーバ６のサービスの提供要求を受け付けると、外部サーバ６にアクセスしてテスト端末３又は端末４ａ、４ｂ、４ｃ…との通信を仲介する。
【００２９】
記憶部１１は、制御部１０を上述した各手段１００‐１０４として動作させるアプリケーション管理プログラム１１０、配信先情報１１１、外部通信情報１１２等を記憶する。
【００３０】
記憶部１１Ａは、テスト用アプリケーション情報１１３ｔ１、１１３ｔ２…を記憶する。また、記憶部１１Ｂは、本番用アプリケーション情報１１３ｐ１、１１３ｐ２…を記憶する。
【００３１】
図３は、配信先情報１１１の構成の一例を示す概略図である。
【００３２】
配信先情報１１１は、テスト端末３又は端末４ａ、４ｂ、４ｃ…のアプリケーションを識別するためのアプリケーションＩＤと、配信の要求元の種類（テスト用又は本番用）を示す要求元と、アプリケーション管理サーバ１から配信するアプリケーション情報を識別するための配信アプリＩＤとを有する。
【００３３】
図４は、テスト用アプリケーション情報１１３ｔｉ及び本番用アプリケーション情報１１３ｐｉの構成の一例を示す概略図である。
【００３４】
テスト用アプリケーション情報１１３ｔｉは、テスト端末３上で動作するアプリケーションにおいて使用する機能と使用しない機能、当該機能の配置、表示枠の配置・配色及びコンテンツの配置等の表示構造を定義する第１の構成情報としての構成情報１１３０ｔｉと、アプリケーション上で使用される画像、動画、音声、テキスト等の第１のコンテンツ情報としてのコンテンツ情報１１２１ｔｉとを有する。また、本番用アプリケーション情報１１３ｐｉは、端末４ａ、４ｂ、４ｃ…上で動作するアプリケーションにおいて使用する機能と使用しない機能、当該機能の配置、表示枠の配置・配色及びコンテンツの配置等の表示構造を定義する第２の構成情報としての構成情報１１３０ｐｉと、アプリケーション上で使用される画像、動画、音声、テキスト等の第２のコンテンツ情報としてのコンテンツ情報１１２１ｐｉとを有する。
【００３５】
図４に示す例では、テスト用アプリケーション情報１１３ｔｉ及び本番用アプリケーション情報１１３ｐｉは、構成情報１１３０ｔｉと１１３０ｐｉにおいて定義される、使用する機能が「Ａ，Ｂ，Ｃ，Ｄ，Ｅ」であり、記載されていないその他の機能は使用しない機能である。機能の詳細については後述する。機能の一部は図７において再度説明する。また、図示されていないが、表示画面のレイアウト、配色、背景、各機能の配置、画面遷移やリンクの情報等の表示構造も構成情報１１３０ｔｉと１１３０ｐｉに含まれる。
【００３６】
また、コンテンツ情報１１３１ｔｉと１１３１ｐｉにおいて「ａ，ｂ，ｃ，ｄ，ｅ」がそれぞれ使用されるコンテンツを示しており、コンテンツはテキスト、画像、動画、音声等である。
【００３７】
図５は、実施の形態に係るテスト端末３の構成例を示すブロック図である。
【００３８】
テスト端末３は、ＣＰＵ等から構成され、各部を制御するとともに、各種のプログラムを実行する制御部３０と、フラッシュメモリ等の記憶媒体から構成され情報を記憶する記憶部３１と、ネットワークを介して外部と通信する通信部３２と、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）ディスプレイ等からなり文字や画像等を表示する表示部３３と、表示部３３と一体となったタッチパネルやスイッチ等からなり操作信号を発生する操作部３４とを備える。
【００３９】
制御部３０は、後述するＯＳ（Ｏｐｅｒａｔｉｎｇ  Ｓｙｓｔｅｍ）３１０及び共通アプリケーション３１１を実行することで、アプリケーション情報取得手段３００及びアプリケーション実行手段３０１等として機能する。
【００４０】
アプリケーション情報取得手段３００は、共通アプリケーション３１１の起動時に通信部３２を介してアプリケーション管理サーバ１にアプリケーションのＩＤ及び端末を識別する情報を送信してアプリケーション情報の取得を要求する。また、アプリケーション情報取得手段３００は、アプリケーション管理サーバ１から要求に対する応答としてテスト用アプリケーション情報３１２ｔを受信して記憶部３１に格納する。なお、アプリケーション情報取得手段３００のアプリケーション情報の取得要求のタイミングは、共通アプリケーション３１１の起動時に限らず、予め定めた間隔で定期的に行ってもよいし、更新操作が行われた場合に行ってもよく、限定されない。
【００４１】
アプリケーション実行手段３０１は、取得したテスト用アプリケーション情報３１２ｔに基づいて共通アプリケーション３１１の有する機能３１１ｆのうち使用する機能と使用しない機能を決定するとともに、機能の配置、表示枠の配置・配色及びコンテンツの配置等を決定し、共通アプリケーション３１１を実行する。
【００４２】
記憶部３１は、制御部３０を上述した各手段３００‐３０１として動作させるＯＳ３１０、共通アプリケーション３１１、テスト用アプリケーション情報３１２等を記憶する。
【００４３】
図６は、実施の形態に係る端末４ａ、４ｂ、４ｃ…の構成例を示すブロック図である。
【００４４】
端末４ａ、４ｂ、４ｃ…は、ＣＰＵ等から構成され、各部を制御するとともに、各種のプログラムを実行する制御部４０と、フラッシュメモリ等の記憶媒体から構成され情報を記憶する記憶部４１と、ネットワークを介して外部と通信する通信部４２と、ＬＣＤや有機ＥＬディスプレイ等からなり文字や画像等を表示する表示部４３と、表示部４３と一体となったタッチパネルやスイッチ等からなり操作信号を発生する操作部４４とを備える。
【００４５】
制御部４０は、後述するＯＳ４１０及び共通アプリケーション４１１を実行することで、アプリケーション情報取得手段４００及びアプリケーション実行手段４０１等として機能する。
【００４６】
アプリケーション情報取得手段４００は、共通アプリケーション４１１の起動時に通信部４２を介してアプリケーション管理サーバ１にアプリケーションのＩＤ及び端末を識別する情報を送信してアプリケーション情報の取得を要求する。また、アプリケーション情報取得手段４００は、アプリケーション管理サーバ１から要求に対する応答として本番用アプリケーション情報４１２ｐを受信して記憶部４１に格納する。なお、アプリケーション情報取得手段４００のアプリケーション情報の取得要求のタイミングは、共通アプリケーション４１１の起動時に限らず、予め定めた間隔で定期的に行ってもよいし、更新操作が行われた場合に行ってもよく、限定されない。
【００４７】
アプリケーション実行手段４０１は、取得した本番用アプリケーション情報４１２ｐに基づいて共通アプリケーション４１１の有する機能４１１ｆのうち使用する機能と使用しない機能を決定するとともに、機能の配置、表示枠の配置・配色及びコンテンツの配置等を決定し、共通アプリケーション４１１を実行する。
【００４８】
記憶部４１は、制御部４０を上述した各手段４００‐４０１として動作させるＯＳ４１０、共通アプリケーション４１１、テスト用アプリケーション情報４１２等を記憶する。
【００４９】
図７は、テスト端末３においてアプリケーション実行手段３０１により表示部３３に表示される表示画面の一例を示す概略図である。また、端末４ａ、４ｂ、４ｃ…においても同様の画面が表示されるが、共通するため説明を省略する。
【００５０】
画面３３０は、アプリケーションの利用者の外部サービスに対するログイン状態を示すログイン状態３３０ａと、アプリケーションのタイトルを表示するアプリタイトル欄３３０ｂと、アプリケーション内に含まれるコンテンツを検索するための検索用テキストボックス３３０ｃと、複数の画像を横方向にスライド可能に（カルーセル）表示する画像表示領域３３０ｄと、バーコードリーダー、ポップアップ、ポイント表示等を表示する領域３３０ｅと、コンテンツの一例として商品の画像、テキスト等を表示する商品表示領域３３０ｆと、アプリケーションに用意されたメニュー項目を表示するためのメニューポップアップボタン３３０ｇと、表示中の画面からアプリケーションのホーム画面に戻るためのホームボタン３３０ｈと、利用者が予め登録したアプリケーション内のコンテンツを表示させるための画面に遷移するお気に入りボタン３３０ｉと、位置情報を利用して近くの販売店舗を検索するための画面に遷移するショップボタン３３０ｊと、利用者が予め登録したアプリケーション内のページを表示させるための画面に遷移するブックマーク３３０ｋと、ボタン３００ｇ‐３００ｋに含まれない機能を表示するための画面に遷移するその他ボタン３３０ｌとを有する。
【００５１】
上記画面３３０中の各構成は、共通アプリケーション３１１及び４１１の有する機能３１１ｆ、４１１ｆをアプリケーション実行手段３０１及び４０１が実行することにより表示及び動作するものであり、例えば、ログイン状態３３０ａであれば、ログイン機能を実行することで表示及び動作するものであり、アプリケーション管理サーバ１の外部通信手段１０４を介して外部サーバ６の提供するユーザ管理システムにログインしてユーザ毎に設定された情報等を利用する機能である。また、アプリタイトル欄３３０ｂであれば、レイアウト機能を実行することで表示するものであり、予め用意されたタイトル画像を予め設定されたデザイン、レイアウトに従って表示する機能である。
【００５２】
また、検索用テキストボックス３３０ｃであれば、検索機能を実行することで動作するものであり、商品表示領域３３０ｆに表示されるコンテンツ等をフリーワードで検索する機能である。また、画像表示領域３３０ｄであれば、レイアウト機能を実行することで表示されるものであり、複数の画像をカルーセルで予め定めた設定（自動スクロール、スクロールの時間等）で表示する機能である。また、領域３３０ｅであれば、レイアウト機能を実行することで表示及び動作するものであり、バーコードを生成して表示画面に遷移して読み取りに適した画面設定にして表示したり、予め定めた情報を画面遷移することなく画面手前に重ねてポップアップ表示したり、後述するポイント機能により表示される画面に遷移したりする機能である。
【００５３】
また、商品表示領域３３０ｆであれば、レイアウト機能を実行することで表示及び動作するものであり、商品の画像を表示するとともに選択された場合は商品の詳細を表示するページに遷移する機能である。また、メニューポップアップボタン３３０ｇであれば、レイアウト機能を実行することで表示及び動作するものであり、予め定めた複数のメニュー項目を表示し、選択された場合は各項目のページに遷移する機能である。また、ホームボタン３３０ｈであれば、アプリケーションの起動時に表示されるページに遷移する機能である。
【００５４】
また、お気に入りボタン３３０ｉであれば、お気に入り機能を実行することで表示及び動作するものであり、利用者がお気に入りとして設定したコンテンツ、ページの一覧画面を表示する機能である。また、ショップボタン３３０ｊであれば、ショップ機能を実行することで表示及び動作するものであり、テスト端末３のＧＰＳ等の位置情報機能から現在の位置情報を取得し、当該位置情報に近い店舗情報を検索して一覧表示する画面に遷移する機能である。また、ブックマーク３３０ｋであれば、利用者がブックマークとして設定したアプリケーション内の表示ページ、コンテンツの一覧画面を表示する機能である。また、その他ボタン３３０ｌであれば、他の機能により表示されていない機能一覧を表示する機能である。
【００５５】
また、上記以外の機能として、例えば、アプリケーションが起動していない状態であっても通知を表示するプッシュ通知機能、外部動画サイトの動画を当該外部動画サイトに遷移することなくアプリケーションの表示画面上に表示する動画機能、カタログ、チラシ、書籍、漫画等のデータを閲覧可能に表示する電子書籍機能、写真等の画像を閲覧可能に表示するフォト機能、外部サイトの複数の記事を外部サイトに遷移することなくスクロール可能にアプリケーションの表示画面上に表示するスクロールメニュー機能、複数の画像を連続的に切り替えてアニメーション表示するアニメーションレイアウト機能、日時を指定してクーポンを表示するクーポン機能、指定したＵＲＬのウェブサイトを一部加工して表示するウェブビュー機能等が挙げられる。さらに、記載されていない機能についても本願発明の趣旨を逸脱しない範囲で採用可能である。
【００５６】
（情報処理装置の動作）
次に、本実施の形態の作用を（１）アプリケーション編集動作と、（２）アプリケーション実行動作に分けて説明する。
【００５７】
（１）アプリケーション編集動作
テスト端末３、端末４ａ、４ｂ、４ｃ…で動作するアプリケーションを編集する動作について説明する。なお、編集動作は、アプリケーション管理サーバ１と編集端末２とが通信して行う。
【００５８】
図８Ａ‐図８Ｃは、編集動作を説明するための概略図である。図９は、アプリケーション管理システム９の編集動作例を示すフローチャートである。
【００５９】
まず、管理者７がアプリケーションを編集するために編集端末２を操作する。編集端末２は、操作内容に応じて編集要求をアプリケーション管理サーバ１に送信する（Ｓ２０）。
【００６０】
アプリケーション管理サーバ１は、編集端末２から編集要求を受け付けると（Ｓ１０）、記憶部１１Ａからテスト用アプリケーション情報１１３ｔｉを読み出し、アプリケーション編集用の画面を生成して（Ｓ１１）、当該画面を表示するための画面情報を編集端末２へ送信する（Ｓ１２）。なお、テスト用アプリケーション情報１１３ｔｉの「ｉ番目」は、編集端末２が指定するアプリケーションＩＤに基づいて定められる。
【００６１】
次に、編集端末２は、アプリケーション管理サーバ１から画面情報を受信し（Ｓ２１）、編集端末２の表示部に表示する（Ｓ２２）。この時点で、テスト用アプリケーション情報１１３ｔｉと本番用アプリケーション情報１１３ｐｉの状態は図８Ａに示すとおりである。テスト用アプリケーション情報１１３ｔｉは、バージョンが「ｖｅｒ．１」であり、構成情報１１３０ｔｉとして機能「Ａ，Ｂ，Ｃ，Ｄ，Ｅ」が使用され、コンテンツ情報１１３１ｔｉとして「ａ，ｂ，ｃ，ｄ，ｅ」が使用される。また、本番用アプリケーション情報１１３ｐｉは、バージョンが「ｖｅｒ．１」であり、テスト用アプリケーション情報１１３ｔｉと同様の構成であり、構成情報１１３０ｐｉとして機能「Ａ，Ｂ，Ｃ，Ｄ，Ｅ」が使用され、コンテンツ情報１１３１ｐｉとして「ａ，ｂ，ｃ，ｄ，ｅ」が使用される。
【００６２】
次に、管理者７は、編集端末２の表示部に表示された内容を参照しつつ、操作部を操作することで編集用を所望する箇所を編集する。編集端末２は、管理者７の操作内容に応じてアプリケーションの内容を編集し、編集内容をアプリケーション管理サーバ１へ送信する（Ｓ２３）。
【００６３】
次に、アプリケーション管理サーバ１は、編集端末２から編集内容を受信すると（Ｓ１３）、編集内容をテスト用アプリケーション情報１１３ｔｉに反映する（Ｓ１４）。
【００６４】
この時点で、テスト用アプリケーション情報１１３ｔｉと本番用アプリケーション情報１１３ｐｉの状態は図８Ｂに示すとおりである。テスト用アプリケーション情報１１３ｔｉは、バージョンが本番確定前の「ｖｅｒ．２β」であり、構成情報１１３０ｔｉとして機能「Ａ，Ｚ，Ｃ，Ｄ，Ｅ」が使用され、コンテンツ情報１１３１ｔｉとして「ａ，ｂ，ｌ，ｍ，ｅ」が使用される。また、本番用アプリケーション情報１１３ｐｉは、依然としてバージョンが「ｖｅｒ．１」であり、構成情報１１３０ｐｉとして機能「Ａ，Ｂ，Ｃ，Ｄ，Ｅ」が使用され、コンテンツ情報１１３１ｐｉとして「ａ，ｂ，ｃ，ｄ，ｅ」が使用される。
【００６５】
次に、管理者７は、編集内容を確認するためテスト端末３上でアプリケーションを起動する。
【００６６】
図１０は、テスト端末３で動作するアプリケーションの動作例を示すフローチャートである。
【００６７】
テスト端末３は、操作を受け付けると共通アプリケーション３１１を起動し（Ｓ３０）、テスト端末３のアプリケーション情報取得手段３００がテスト用アプリケーション情報１１３ｔｉをアプリケーション管理サーバ１から再取得してテスト用アプリケーション情報３１２ｔｉを更新する（Ｓ３１）。
【００６８】
次に、テスト端末３のアプリケーション実行手段３０１は、取得したテスト用アプリケーション情報３１２ｔｉを参照し（Ｓ３２）、ＵＩを描画するとともに（Ｓ３３）、共通アプリケーション３１１の有する機能３１１ｆのうち使用する機能と使用しない機能を決定するとともに、使用する機能をＵＩ上に配置し（Ｓ３４）、さらにコンテンツを配置して（Ｓ３５）、共通アプリケーション３１１を実行する。なお、テスト用アプリケーション情報３１２ｔはアプリケーションが終了するまで予め定められたタイミングで更新される（Ｓ３６）。
【００６９】
管理者７は、テスト端末３でアプリケーションが実行されると、表示部３３に表示された内容を確認するとともに、操作に対するアプリケーションの動作を確認して、問題がないことを確認すると、端末４ａ、４ｂ、４ｃ上で動作するアプリケーションに対して同様の編集内容を反映するために編集端末２を操作する。
【００７０】
編集端末２は、管理者７の操作内容に応じて編集内容を本番用アプリケーション情報１１３ｐｉに反映するよう要求する（Ｓ２４）。
【００７１】
アプリケーション管理サーバ１の本番反映手段１０３は、反映要求を受け付けると（Ｓ１５）、テスト用アプリケーション情報１１３ｔｉで本番用アプリケーション情報１１３ｐｉを更新する（Ｓ１６）。
【００７２】
この時点で、テスト用アプリケーション情報１１３ｔｉと本番用アプリケーション情報１１３ｐｉの状態は図８Ｃに示すとおりである。テスト用アプリケーション情報１１３ｔｉは、バージョンが確定した「ｖｅｒ．２」となり、構成情報１１３０ｔｉとして機能「Ａ，Ｚ，Ｃ，Ｄ，Ｅ」が使用され、コンテンツ情報１１３１ｔｉとして「ａ，ｂ，ｌ，ｍ，ｅ」が使用される。また、本番用アプリケーション情報１１３ｐｉは、バージョンが「ｖｅｒ．２」となり、テスト用アプリケーション情報１１３ｔｉと同様の構成となって、構成情報１１３０ｐｉとして機能「Ａ，Ｚ，Ｃ，Ｄ，Ｅ」が使用され、コンテンツ情報１１３１ｐｉとして「ａ，ｂ，ｌ，ｍ，ｅ」が使用される。
【００７３】
次に、利用者８ａ、８ｂ、８ｃ…は、端末４ａ、４ｂ、４ｃ…上でアプリケーションを起動する。
【００７４】
端末４ａ、４ｂ、４ｃ…上での動作は図１０で説明したものと同様であり、端末４ａ、４ｂ、４ｃ…は、操作を受け付けると共通アプリケーション４１１を起動し（Ｓ３０）、端末４ａ、４ｂ、４ｃ…のアプリケーション情報取得手段４００が本番用アプリケーション情報１１３ｐｉをアプリケーション管理サーバ１から再取得して本番用アプリケーション情報３１２ｐｉを更新する（Ｓ３１）。
【００７５】
次に、端末４ａ、４ｂ、４ｃ…のアプリケーション実行手段４０１は、取得した本番用アプリケーション情報４１２ｐｉを参照し（Ｓ３２）、ＵＩを描画するとともに（Ｓ３３）、共通アプリケーション４１１の有する機能４１１ｆのうち使用する機能と使用しない機能を決定するとともに、使用する機能をＵＩ上に配置し（Ｓ３４）、さらにコンテンツを配置して（Ｓ３５）、共通アプリケーション４１１を実行する。
【００７６】
上記動作の結果、利用者８ａ、８ｂ、８ｃ…は、端末４ａ、４ｂ、４ｃ…上で編集内容に基づいて更新されたアプリケーションを利用する。
【００７７】
（２）アプリケーション実行動作
テスト端末３、端末４ａ、４ｂ、４ｃ…上で動作するアプリケーションの機能のうち、アプリケーション管理サーバ１と協働して達成される機能について説明する。
【００７８】
例えば、端末４ａのアプリケーション実行手段４０１により、ポイント機能が実行される場合、事前にログイン機能によりポイントを管理する外部サーバ６にアクセスし、ユーザＩＤ及びパスワード等を入力してログインするとともに、ポイント残高等の情報を取得する必要がある。
【００７９】
本番用アプリケーション情報４１２ｐに含まれるポイント機能に関する構成情報には、アプリケーション実行手段４０１がアプリケーション管理サーバ１の外部通信手段に端末４ａのアプリケーションＩＤを通知してポイント機能についての動作を実行するよう要求するよう指示する指示情報が含まれる。端末４ａのアプリケーション実行手段４０１は、当該指示情報に基づいてアプリケーション管理サーバ１の外部通信手段に端末４ａのアプリケーションＩＤを通知してポイント機能についての動作を実行するよう要求する。
【００８０】
アプリケーション管理サーバ１の外部通信手段１０４は、端末４ａ上で動作するアプリケーションから要求を受け付けると、外部通信情報１１２を参照し、通知されたアプリケーションＩＤの機能の種類に対応付けられたアドレスを取得して、当該アドレスの外部サーバ６にアクセスしてポイントサービスにログインするための画面情報を取得し、端末４ａに当該画面情報を送信する。その後、端末４ａにおいてユーザＩＤ及びパスワードが入力されると当該ユーザＩＤ及びパスワードを外部サーバ６に送信し、ログインが成功すると外部サーバ６からポイント残高を取得して端末４ａに送信する。このように一連の動作により端末４ａとの通信を仲介する。
【００８１】
その他、ログイン機能、動画機能、スクロールメニュー機能等についても、上記のようにアプリケーション管理サーバ１と協働して達成される。
【００８２】
（実施の形態の効果）
上記した実施の形態によれば、変更内容確認のためのテスト端末３に対しテスト用アプリケーション情報１１３ｔｉが配信されるよう用意し、一般の利用者８ａ、８ｂ、８ｃ…が使用する端末４ａ、４ｂ、４ｃ…に対し本番用アプリケーション情報１１３ｐｉが配信されるよう用意して、暫定的なアプリケーションの編集をテスト用アプリケーション情報１１３ｔｉに対して行い、編集が確定するまでは本番用アプリケーション情報１１３ｐｉに編集内容を反映しないようにしたため、アプリケーションの変更内容を特定の端末（テスト端末３）で事前に確認できるとともに、端末４ａ、４ｂ、４ｃ…では変更が確定するまでは変更前の状態の内容でアプリケーションを利用し続けることができる。
【００８３】
また、テスト端末３、端末４ａ、４ｂ、４ｃ…にインストール済みの共通アプリケーション３１１、４１１はすべての機能３１１ｆ、４１１ｆを実行可能な構成であり、テスト用アプリケーション情報１１３ｔｉ、本番用アプリケーション情報１１３ｐｉに含まれる構成情報１１３０ｔｉ、１１３０ｐｉによって使用する／しない機能を定義するようにしたため、変更されたアプリケーションをテスト端末３、端末４ａ、４ｂ、４ｃ…に対し再配布の必要なく、つまり、ダウンロード及び再インストール不要で、変更内容を端末のアプリケーションに反映することができる。
【００８４】
［他の実施の形態］
なお、本発明は、上記実施の形態に限定されず、本発明の趣旨を逸脱しない範囲で種々な変形が可能である。
【００８５】
上記実施の形態では制御部１０の各手段１００‐１０４、制御部３０の各手段３００‐３０１、制御部４０の各手段４００‐４０１の機能をプログラムで実現したが、各手段の全て又は一部をＡＳＩＣ等のハードウエアによって実現してもよい。また、上記実施の形態で用いたプログラムをＣＤ‐ＲＯＭ等の記録媒体に記憶して提供することもできる。また、上記実施の形態で説明した上記ステップの入れ替え、削除、追加等は本発明の要旨を変更しない範囲内で可能である。
【００８６】
本発明の他の態様は、上記目的を達成するため、以下のアプリケーション管理プログラム、情報処理装置及びアプリケーション管理システムを提供する。
【００８７】
［１］コンピュータを、
複数の機能を有するアプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報とを記憶する記憶手段と、
前記第１の構造情報及び／又は前記第１のコンテンツ情報を編集する編集手段と、
前記第２の構造情報及び前記第２のコンテンツ情報に、前記編集手段が編集した前記第１の構造情報及び前記第１のコンテンツ情報を反映する反映手段と、
前記第１の構造情報及び前記第１のコンテンツ情報を前記アプリケーションが動作する第１の端末に配信し、前記第２の構造情報及び前記第２のコンテンツ情報を前記アプリケーションが動作する第２の端末に配信する配信手段として動作させるためのアプリケーション管理プログラム。
［２］前記コンピュータを、
前記アプリケーションを実行する前記第１の端末又は前記第２の端末から外部サーバのサービス利用要求を受け付けると、当該外部サーバと通信し、当該外部サーバのサービスから提供される情報を前記第１の端末又は前記第２の端末に送信する外部通信手段としてさらに動作させるための前記［１］に記載のアプリケーション管理プログラム。
［３］複数の機能を有するアプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報とを記憶する記憶手段と、
前記第１の構造情報及び／又は前記第１のコンテンツ情報を編集する編集手段と、
前記第２の構造情報及び前記第２のコンテンツ情報に、前記編集手段が編集した前記第１の構造情報及び前記第１のコンテンツ情報を反映する反映手段と、
前記第１の構造情報及び前記第１のコンテンツ情報を前記アプリケーションが動作する第１の端末に配信し、前記第２の構造情報及び前記第２のコンテンツ情報を前記アプリケーションが動作する第２の端末に配信する配信手段を有する情報処理装置。
［４］前記アプリケーションを実行する前記第１の端末又は前記第２の端末から外部サーバのサービス利用要求を受け付けると、当該外部サーバと通信し、当該外部サーバのサービスから提供される情報を前記第１の端末又は前記第２の端末に送信する外部通信手段をさらに有する前記［３］に記載の情報処理装置。
［５］複数の機能を有するアプリケーションを実行する第１の端末と、
前記アプリケーションを実行する第２の端末と、
前記アプリケーションの表示構造及び前記複数の機能から使用する機能を指定する第１の構造情報、並びに当該第１の構造情報に基づいて指定された前記アプリケーションの表示構造上で使用される第１のコンテンツ情報と、前記アプリケーションの表示構造及び前記複数の機能から使用する機能を指定する第２の構造情報、並びに当該第２の構造情報に基づいて指定された前記アプリケーションの表示構造上に表示される第２のコンテンツ情報とを記憶する記憶手段と、前記第１の構造情報及び／又は前記第１のコンテンツ情報を編集する編集手段と、前記第２の構造情報及び前記第２のコンテンツ情報に、前記編集手段が編集した前記第１の構造情報及び前記第１のコンテンツ情報を反映する反映手段と、前記第１の構造情報及び前記第１のコンテンツ情報を前記第１の端末に配信し、前記第２の構造情報及び前記第２のコンテンツ情報を前記第２の端末に配信する配信手段を有する情報処理装置とを備えたアプリケーション管理システム。
［６］前記アプリケーションのサービス利用要求に対してサービスを提供する外部サーバをさらに備え、
前記情報処理装置は、前記アプリケーションを実行する前記第１の端末又は前記第２の端末からサービス利用要求を受け付けると、前記外部サーバと通信し、当該外部サーバのサービスから提供される情報を前記第１の端末又は前記第２の端末に送信する外部通信手段をさらに有する請求項５に記載のアプリケーション管理システム。
【符号の説明】
【００８８】
１              ：アプリケーション管理サーバ
２              ：編集端末
３              ：テスト端末
４ａ、４ｂ、４ｃ：端末
５              ：ネットワーク
６              ：外部サーバ
７              ：管理者
８ａ、８ｂ、８ｃ：利用者
９              ：アプリケーション管理システム
１０            ：制御部
１１            ：記憶部
１１Ａ          ：記憶部
１１B          ：記憶部
１１Ｂ          ：記憶部
１２            ：通信部
３０            ：制御部
３１            ：記憶部
３２            ：通信部
３３            ：表示部
３４            ：操作部
４０            ：制御部
４１            ：記憶部
４２            ：通信部
４３            ：表示部
４４            ：操作部
１００          ：アプリケーション編集手段
１０１          ：配信先判別手段
１０２          ：情報配信手段
１０３          ：本番反映手段
１０４          ：外部通信手段
１１０          ：アプリケーション管理プログラム
１１１          ：配信先情報
１１２          ：外部通信情報
１１３ｐｉ      ：本番用アプリケーション情報
１１３ｔｉ      ：テスト用アプリケーション情報
３００          ：アプリケーション情報取得手段
３０１          ：アプリケーション実行手段
３１１          ：共通アプリケーション
３１２ｐｉ      ：本番用アプリケーション情報
３１２ｔｉ      ：テスト用アプリケーション情報
４００          ：アプリケーション情報取得手段
４０１          ：アプリケーション実行手段
４１１          ：共通アプリケーション
４１２ｔｉ          ：テスト用アプリケーション情報
４１２ｐｉ        ：本番用アプリケーション情報
【図１】
2020194518.tif 000003
【図２】
2020194518.tif 000004
【図３】
2020194518.tif 000005
【図４】
2020194518.tif 000006
【図５】
2020194518.tif 000007
【図６】
2020194518.tif 000008
【図７】
2020194518.tif 000009
【図８Ａ】
2020194518.tif 000010
【図８Ｂ】
2020194518.tif 000011
【図８Ｃ】
2020194518.tif 000012
【図９】
2020194518.tif 000013
【図１０】
2020194518.tif 000014